(57)【要約】【課題】簡単で廉価な構造により、磁石を用いた不正行為を防止し得るようにした弾球遊技機を提供する。【解決手段】遊技領域３ａにおける例えば入賞口３６の障害釘３５の外側に配置された磁性材料からなる金属板４１を備え、該金属板４１が、磁力線の作用で入賞口３６の内側に引き寄せられる遊技球を該入賞口３６の外側に遠ざけるように磁化する構成とした。このため、遊技領域３ａの前側から磁石で遊技球を引き寄せて入賞口３６に不正入賞させようとしても、その入賞口付近では、遊技球と金属板４１とが磁力線を同時に作用されることで、該遊技球が不正行為者に不利な方向に転がり移動されることになり、磁石を用いた不正行為を確実に防止することができる。【選択図】図２
2010131142.tif 000002
【特許請求の範囲】
【請求項１】
遊技盤の遊技領域に、入賞口と、該入賞口の近傍に配置されて該入賞口への入賞状態を制限する障害釘と、を備え、磁性体からなる遊技球を前記遊技領域に打ち出して遊技してなる弾球遊技機において、
前記遊技領域における前記入賞口の前記障害釘の外側に配置された磁性材料からなる磁性部を備え、かつ、
該磁性部は、磁力線の作用で前記入賞口の内側に引き寄せられる遊技球を該入賞口の外側に遠ざけ得るように磁化してなる、
ことを特徴とする弾球遊技機。
【請求項２】
前記磁性部は、前記遊技盤の表面側に埋設された金属板である、
請求項１記載の弾球遊技機。
【請求項３】
前記磁性部は、前記遊技盤の表面に前記磁性材料を印刷して形成された金属板部である、
請求項１記載の弾球遊技機。
【請求項４】
前記遊技領域に作用する磁気を検出する磁気検出手段を備え、
前記磁性部は、一方向に常時電流を流される前記磁気検出手段の磁気検知端子として構成されてなる、
請求項１ないし３のいずれか１項記載の弾球遊技機。
【請求項５】
前記障害釘は、前記入賞口の直前部分にて斜め下方を向くように配置された一対からなり、
前記磁性部は、少なくとも、前記障害釘の直前に位置する直前部と、前記一対の障害釘の下側に位置するものより下方に延びる延設部と、を有してなる、
請求項１ないし４のいずれか１項記載の弾球遊技機。
【請求項６】
前記障害釘は、前記入賞口の直前部分にて左右幅方向に並ぶように配置された一対からなり、
前記磁性部は、少なくとも、前記障害釘の直前に位置する直前部と、前記一対の障害釘より下方に延びる延設部と、を有してなる、
請求項１記載の弾球遊技機。
【発明の詳細な説明】
【技術分野】
【０００１】
本発明は、パチンコ機等の弾球遊技機に係り、特に、磁石を用いて遊技球を不正に入賞させようとする不正行為（所謂磁石ゴト）を防止し得る構造を備えた弾球遊技機に関する。
【背景技術】
【０００２】
一般に、弾球遊技機、例えばパチンコ機として、球受け皿に滞留している遊技球が、発射ハンドルの操作に応じて遊技盤の遊技領域に打ち出された後、遊技領域の障害釘や風車等に導かれつつ盤面を流下して、各種入賞口に入球し、或いは入球せずに遊技領域下部のアウト口に流入するように構成されたものが知られている（特許文献１参照）。
【０００３】
この種のパチンコ機では、一般入賞口に入球した際にはそれに対応した個数の遊技球が払い出され、また始動チャッカーに入球した際にはこれに基づいて当たり外れや演出パターンの抽選が行われると共に所定数の遊技球が払い出される。この抽選結果に基づき選定された演出パターンに応じて、例えば遊技盤の中央部分に設けられた液晶表示画面や各種の照明装置を介した視覚的表現、スピーカを介した聴覚的表現などを用い、様々な演出が行われる。なお、当たり（以下、「大当たり」ともいう）の発生時（つまり、特別遊技状態の抽選に当選した時）には、アタッカーと呼ばれる大入賞口が開放し、入球に対応して多量の遊技球が払い出される遊技者に有利な特別遊技状態となる。
【０００４】
一方、以下のようなパチンコ機も知られている（特許文献２参照）。該パチンコ機は、遊技領域の中央部に、開閉動作する羽根を左右に備えたセンター役物を有すると共に、該センター役物の左下方に始動口を有し、右側に大当たり始動口を有し、更に、下部中央に大入賞口を有している。該パチンコ機では、遊技中、始動口に入賞するごとに一定の回数ずつ羽根が開閉動作する。この際、打ち出された遊技球がタイミング良く羽根に拾われてセンター役物内に入球すると、該遊技球は、上部プレート上を遊技盤後方に一旦転動して落下する。遊技球は、障害装置を回避して落下するか該障害装置に衝突して進路を変えて落下し、アウト口かＶゾーンへの落下口の何れかに入る。
【０００５】
Ｖゾーンへの落下口には、一方向にゆっくり回転する回転体が配置されており、該回転体は、通常Ｖゾーン溝と特別Ｖゾーン溝を点対称の状態に備えている。通常Ｖゾーン溝に入球した場合、継続スイッチのオンにより、羽根が例えば１８回開閉動作し、その間に所定数の遊技球が入賞すると、羽根の開閉動作が終了する。この際に、遊技球が通常Ｖゾーン溝に入賞すると、継続スイッチの働きにより羽根の開閉動作及び入賞球数がリセットされ、大当たり動作が継続する形で再度開始される。そして、通常Ｖゾーン溝への入賞で開始した羽根の開閉動作のカウント数が所定数に達したとき最終ラウンドになり、その際、回転体の回転で特別Ｖゾーン溝が上方を向いたタイミングで該特別Ｖゾーン溝に入賞すると、大当たり始動口が有効になる。この状態で、該大当たり始動口に入賞すると、センター役物の下方の大入賞口が所定時間又は所定数の入賞が完了するまで開放動作を繰り返す。
【０００６】
【特許文献１】特開２００５−３１２９０２号公報
【特許文献２】特開２００２−１６５９５５号公報
【発明の開示】
【発明が解決しようとする課題】
【０００７】
ところで、上述したようなパチンコ機に対し、前扉に設けられたガラス板の前側から強力な磁石を当てて、流下してくる遊技球に磁気を作用させ、入賞口の入口近傍に打ち込まれた障害釘側に引き寄せつつ該入賞口に不正入賞させようとする不正行為者（所謂ゴト師）が存在する。このような磁石を用いた不正行為（所謂磁石ゴト）に対する対策を施したものとして、磁気検出センサを備えたパチンコ機が知られているが、該磁気検出センサはその近傍の磁気を検出するだけであるため、遊技領域全体など広範囲に亘る場合には各所毎に磁気検出センサを配置しなければならず、コストアップを招く。また、近年では小型で強力な磁石の出現により、磁石ゴトに対する対策が一層不可欠となっており、可及的に廉価な構造で磁石ゴトに対する有効な対策となり得るものの出現が切望される。
【０００８】
そこで、本発明は、簡単で廉価な構造により、磁石を用いた不正行為（所謂磁石ゴト）を防止し得るよう構成し、もって上述の課題を解消するようにした弾球遊技機を提供することを目的とするものである。
【課題を解決するための手段】
【０００９】
請求項１に係る本発明は（例えば図１ないし図６参照）、遊技盤（３）の遊技領域（３ａ）に、入賞口（例えば３６，３８，４３，４６，５９ａ）と、該入賞口（３６，３８，４３，４６，５９ａ）の近傍に配置されて該入賞口への入賞状態を制限する障害釘（例えば３５，３７，５０，５１，６０）と、を備え、磁性体からなる遊技球（Ｂａ）を前記遊技領域（３ａ）に打ち出して遊技してなる弾球遊技機（１）において、
前記遊技領域（３ａ）における前記入賞口（３６，３８，４３，４６，５９ａ）の前記障害釘（３５，３７，５０，５１，６０）の外側に配置された磁性材料からなる磁性部（４１，４２，４４，４５，４７，４８，５２，５３，６３）を備え、かつ、
該磁性部（４１，４２，４４，４５，４７，４８，５２，５３，６３）は、磁力線（ｍ）の作用で前記入賞口（３６，３８，４３，４６，５９ａ）の内側に引き寄せられる遊技球（Ｂａ）を該入賞口の外側に遠ざけ得るように磁化してなる、
ことを特徴とする弾球遊技機（１）にある。
【００１０】
請求項２に係る本発明は（例えば図２、図３及び図６参照）、前記磁性部（例えば４１，４２，４４，４５，４７，４８，５３，６３）は、前記遊技盤（３）の表面側に埋設された金属板である、
請求項１記載の弾球遊技機（１）にある。
【００１１】
請求項３に係る本発明は（例えば図５参照）、前記磁性部（例えば５２）は、前記遊技盤（３）の表面に前記磁性材料を印刷して形成された金属板部である、
請求項１記載の弾球遊技機（１）にある。
【００１２】
請求項４に係る本発明は（例えば図６参照）、前記遊技領域（３ａ）に作用する磁気を検出する磁気検出手段（５４）を備え、
前記磁性部（例えば５３）は、一方向に常時電流を流される前記磁気検出手段（５４）の磁気検知端子として構成されてなる、
請求項１ないし３のいずれか１項記載の弾球遊技機（１）にある。
【００１３】
請求項５に係る本発明は（例えば図３参照）、前記障害釘（例えば３５，３７）は、前記入賞口（例えば３６，３８）の直前部分にて斜め下方を向くように配置された一対からなり、
前記磁性部（例えば４１，４２）は、少なくとも、前記障害釘（例えば３５，３７）の直前に位置する直前部（４１ａ，４２ａ）と、前記一対の障害釘（例えば３５，３７）の下側に位置するものより下方に延びる延設部（４１ｂ，４２ｂ）と、を有してなる、
請求項１ないし４のいずれか１項記載の弾球遊技機（１）にある。
【００１４】
請求項６に係る本発明は（例えば図７参照）、前記障害釘（例えば６０）は、前記入賞口（例えば５９ａ）の直前部分にて左右幅方向に並ぶように配置された一対からなり、
前記磁性部（例えば６３）は、少なくとも、前記障害釘（例えば６０）の直前に位置する直前部（６３ａ）と、前記一対の障害釘（例えば６０）より下方に延びる延設部（６３ｂ）と、を有してなる、
請求項１記載の弾球遊技機（１）にある。
【００１５】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１６】
請求項１に係る本発明によると、遊技領域における入賞口の障害釘の外側に配置された磁性材料からなる磁性部を備え、該磁性部が、磁力線の作用で入賞口の内側に引き寄せられる遊技球を該入賞口の外側に遠ざけるように磁化するので、遊技領域の前側から磁石で遊技球を引き寄せて入賞口に不正入賞させようとしても、該入賞口付近では遊技球と磁性部とが磁石からの磁力線が同時に作用されることで、該遊技球が不正行為者に不利な方向、即ち入賞口の外側に遠ざかる方向に転がり移動されることになり、磁石を用いた不正行為（所謂磁石ゴト）を確実に防止することができる。しかも、入賞口の障害釘の外側に磁性部を配置するだけで所謂磁石ゴトを防止できるので、不正対策を極めて簡単でかつ廉価な構造によって実現することができる。
【００１７】
請求項２に係る本発明によると、磁性部が、遊技盤の表面側に埋設された金属板であるので、遊技盤にルータ加工で形成した凹部に該金属板を埋め込み、その表面に装飾シート（所謂セル画）を貼付するなどにより、磁性部を備えた構造を簡素化できると共に、不正行為者から不正対策を視認し得なくすることができる。
【００１８】
請求項３に係る本発明によると、磁性部が、遊技盤の表面に磁性材料を印刷して形成された金属板部であるので、極めて簡単な工程によって磁性部を形成することができ、これにより、更なるコストダウンを期待することができる。
【００１９】
請求項４に係る本発明によると、遊技領域に作用する磁気を検出する磁気検出手段を備え、磁性部が、一方向に常時電流を流される磁気検出手段の磁気検知端子として構成されるので、各部に配設した磁性部を磁気検知端子とし、それら磁気検知端子に所定の配線を施すことで磁気検出手段を廉価に実現することが可能となる。従って、このような廉価な構成の磁気検出手段を遊技領域の随所に配置することで、不正行為の発見を容易化することができる。
【００２０】
請求項５に係る本発明によると、障害釘が、入賞口の直前部分にて斜め下方を向くように配置された一対からなり、磁性部が、少なくとも、障害釘の直前に位置する直前部と、一対の障害釘の下側に位置するものより下方に延びる延設部とを有するので、入賞口に接近してきた遊技球が直前部において磁力線の影響で磁性部と同じ極性を持ち、同じ極同士の反発力と該遊技球に作用する重力とで、障害釘から遠ざかる方向に延設部を転がり移動することにより、入賞口への不正な入賞を阻止することができる。
【００２１】
請求項６に係る本発明によると、障害釘が、入賞口の直前部分にて左右幅方向に並ぶように配置された一対からなり、磁性部が、少なくとも、障害釘の直前に位置する直前部と、一対の障害釘より下方に延びる延設部とを有するので、入賞口に接近してきた遊技球が直前部において磁力線の影響で磁性部と同じ極性を持ち、同じ極同士の反発力と該遊技球に作用する重力とで、障害釘から遠ざかる方向に延設部を転がり移動することにより、入賞口への不正な入賞を阻止することができる。
【発明を実施するための最良の形態】
【００２２】
以下、本発明に係る弾球遊技機の実施の形態として、遊技場等に設置されるパチンコ機を図に沿って説明する。なお、本発明は、本実施の形態に示すような形式のパチンコ機に限らず、他の様々な形式のパチンコ機にも適当し得ることは勿論である。なお、図１は本パチンコ機の外部構造を示す正面図、図２は本パチンコ機から遊技盤を単体で分離した状態で示す正面図である。
【００２３】
本パチンコ機１は、図１及び図２に示すように、開口を有する枠体状の筐体６と、遊技盤３を支持した形で筐体６に開閉可能に支持された前扉７とを有しており、前扉７の前面には、透明ガラス９を有するガラス枠１０が開閉可能に取り付けられている。透明ガラス９の奥側には、遊技盤３が配設されている。前扉７における遊技盤３の左右には演出用照明装置１１が配設されており、前扉７における上部左右、及び下部の皿ユニット１６の左右には、スピーカー（図示せず）を有する放音装置１２がそれぞれに配設されている。そして、前扉７の上部における両放音装置１２，１２の間には、演出用照明装置８が配設されている。なお、筐体６及び前扉７等によりパチンコ機本体が構成されている。
【００２４】
また、ガラス枠１０における中央部右方には、前扉７を筐体６側に施錠又は解放し、或いは、ガラス枠１０を前扉７側に施錠又は解放するための施錠装置１３が配設されている。なお、図１中の符号１４は、不図示の発射装置によって打ち出された、磁性体からなる遊技球Ｂａを遊技領域３ａ側に案内するガイドレールを示している。本パチンコ機１には、遊技中に遊技領域３ａにて入賞することなく落下して、遊技領域３ａ下部のアウト口３４に進入した遊技球をパチンコ機背面側に導くアウト球通路（図示せず）が設けられている。
【００２５】
そして、前扉７における下部中央には皿ユニット１６が設けられており、皿ユニット１６における右上部には、賞球及び貸球を含む遊技球が供給される球供給口１７が設けられ、皿ユニット１６における右上部壁面には、球貸ボタン１９ａ及び返却ボタン１９ｂが設けられている。皿ユニット１６の中央部左方には、該皿ユニット１６上の遊技球を球発射装置（図示せず）付近から皿ユニット下部の球排出口（図示せず）を通して下方に排出するための第１球抜きボタン２０ａが配設されており、皿ユニット１６の中央部下方には、皿ユニット１６上の遊技球を球供給口１７付近から上記球排出口を通して下方に排出するための第２球抜きボタン２０ｂが配設されている。
【００２６】
また、前扉７における皿ユニット１６の右側下方の前壁部５には、上記球発射装置を操作して遊技球を遊技盤３の遊技領域３ａに向けて打ち出すための発射ハンドル２が設けられている。更に、皿ユニット１６の下部左方には、台座部１５と灰皿２１とが配設されており、台座部１５には、中央部に遊技参加ボタン２２が配設され、かつ該参加ボタン２２の左右に選択ボタン１８ａ，１８ｂがそれぞれ配設されている。
【００２７】
また、遊技領域３ａの中央部分には、入球役物２３が遊技盤３を前後方向に貫通する形で配設されている。入球役物２３の左右には入賞口２４，２５が配設されており、入球役物２３の左右下方には、所謂チューリップ状の開閉式入賞口２７を下方に有する入賞口２６と、開閉式入賞口２９を下方に有する入賞口２８とが配設されている。入球役物２３の中央部下方には、開閉式入賞口３０，３１がこの順に配設されており、該開閉式入賞口３１の左右には、開閉式入賞口３２と開閉式入賞口３３とがそれぞれ配設されている。これら開閉式入賞口２７，２９，３０，３１，３２，３３は、それぞれ開閉部材２７ａ，２９ａ，３０ａ，３１ａ，３２ａ，３３ａを有している。
【００２８】
遊技領域３ａにおける入球役物２３、入賞口２４，２５、入賞口２６，２８、開閉式入賞口２７，２９，３０〜３３等の周囲には、遊技領域３ａに発射されて落下してくる遊技球を適宜散らし、或いは入賞に導くようにするための障害釘４，３５，３７，５０，５１を含む多数の障害釘が打ち込まれている。
【００２９】
上記入球役物２３は、山型に打ち込まれた多数の障害釘４により最上部が覆われており、これら障害釘４に続く一対の障害釘３５及び一対の障害釘３７により左右に形成された入賞口３６及び入賞口３８を有している。該入球役物２３は、内部中央に、入賞口３６，３８からそれぞれ入球した遊技球の方向を振り分けるように作動する、動物の形状を摸した振分け部材３９と、該振分け部材３９によって振り分けられた遊技球を受けて３つの穴部（図示せず）のいずれかに振り分ける円板状のクルーン部材４０とを有している。
【００３０】
ここで、図２ないし図４を参照して、本発明に係る不正行為防止構造について説明する。なお、図３は、上部近傍に金属板（磁性部）４１，４２が埋設された入球役物２３及びその付近を拡大して示す正面図、図４は、本実施形態において遊技球を押し退けるように移動させる際の原理を説明するための模式図である。
【００３１】
すなわち、本実施の形態では、遊技盤３の遊技領域３ａに、入賞口３６，３８，４３，４６と、該入賞口３６，３８，４３，４６の近傍に配置されてこれら入賞口３６，３８，４３，４６への入賞状態を制限する障害釘３５，３７，５０，５１とを備えている。遊技盤３ａにおける入賞口３６，３８，４３，４６の各近傍に打ち込まれた障害釘３５，３７，５０，５１それぞれの外側には、磁性材料からなる金属板（磁性部）４１，４２，４４，４５，４７，４８が、遊技盤３の表面側にルータ加工で形成された凹部（図示せず）に埋め込まれている。これら金属板４１，４２，４４，４５，４７，４８は、いずれも、対応する入賞口の近傍に打ち込まれた一対ずつの障害釘３５，３７，５０，５１の各隙間の延長方向に延在するように形成され、かつ、上記凹部に埋設されて遊技盤３の盤面と面一にされた状態で、その表面に装飾シート（所謂セル画）５７が貼付されることで、不正行為者等が透明ガラス９側から見ても、不正対策を施していることが判らないようにされている。
【００３２】
上記金属板４１，４２，４４，４５，４７，４８は、図４に示す磁力線ｍの作用で入賞口３６，３８，４３，４６の内側に引き寄せられる遊技球Ｂａを入賞口３６，３８，４３，４６それぞれの外側に遠ざけ得るように磁化するように構成される。これら金属板４１，４２，４４，４５，４７，４８として、コバルトアモルファスやフェライト等を含んだ磁性材料を用いることが好ましく、特に、該磁性材料が軟磁性体であることがより好ましい。
【００３３】
そして、障害釘３５，３７は、入賞口３６，３８の直前部分にて斜め下方を向くように配置された一対からなり、金属板４１，４２は、少なくとも、障害釘３５，３７の直前に位置する直前部４１ａ，４２ａと、一対の障害釘３５及び３７の各下側に位置するものより下方に延びる延設部４１ｂ，４２ｂとを有して構成されている。なお、この構成は、入賞口２６，２８においても障害釘５０，５１の近傍にて同様に実現されており、また、図５に沿って後述する第１の変形例並びに図６に沿って後述する第２の変形例においても同様に実現し得ることは勿論である。
【００３４】
次に、本パチンコ機１による作用について説明する。
【００３５】
本パチンコ機１に対面して着座した遊技者が、発射ハンドル２を握って適宜の角度に回動操作すると、不図示の発射装置が作動して、遊技球を所定の時間間隔で遊技領域３ａの入球役物２３の上方に向けて連続的に発射させる。すると、遊技領域３ａに打ち出されて転動落下する多数の遊技球Ｂａは、入賞口３６，３８，４３，４６等に適時入賞したり、或いは、これらに関与せずに転動落下して、遊技領域３ａ最下部のアウト口３４から遊技盤３の背面側に排出されたりする。
【００３６】
ここで、遊技球Ｂａが入賞口３６，３８のいずれかに入球する場合を考える。その際、一対の障害釘３５又は３７を通過した遊技球Ｂａは、入球役物２３内に進入した後、正面を通って左方向と右方向にゆっくりと回動動作している振分け部材３９によって振り分けられる。この場合、振分け部材３９が真正面を向いている状態で振り分けられた遊技球Ｂａは、クルーン部材４０の手前側（図２の紙面手前側）に形成された穴部に直接的に入球するため、これにより大当たり状態が得られる。
【００３７】
すると、開閉式入賞口３０の開閉部材３０ａが開放し、該開閉部材３０ａに遊技球Ｂａが入賞すると、該開閉部材３０ａが再び開放状態になると共に下方の開閉式入賞口３１の開閉部材３１ａが開放し、該開閉部材３１ａに対して所定数（例えば７個）の遊技球Ｂａが入賞した時点で該開閉部材３１ａは閉止する。その際、上側で開放状態になっている開閉式入賞口３０に入賞するとその開閉部材３０ａが閉止してしまうが、該開閉式入賞口３０に入賞させない状態で開閉式入賞口３１への所定数入賞を終了できれば、更に、開放状態の開閉式入賞口３０に遊技球Ｂａを入賞させることで、開閉式入賞口３１を再度開放して所定数の入賞を再び取得することができるようになる。その場合は、所定数（例えば７個）の２倍の球数に対する賞球（例えば１球につき１５個）を取得できる。
【００３８】
一方、振分け部材３９が左右いずれかを向いている状態で振り分けられた遊技球Ｂａは、クルーン部材４０の外周縁を一方向に回転移動するように該クルーン部材４０上に放出される。その結果、クルーン部材４０の手前側の穴部に入賞すれば、上述したような大当たり状態になるが、左右いずれかに位置する穴部に入球した場合は、それに連動して開閉式入賞口２７及び２９が同時に開放し、これら開閉式入賞口２７及び２９は遊技球Ｂａが１個入賞した時点で閉止することになる。
【００３９】
また、入賞口２６，２８にあっては、該入賞口２６又は２８に遊技球Ｂａが１個入賞すると、該入賞に対応する賞球が得られると共に、入賞口２６又は２８の下方の開閉式入賞口２７又は２９が、続いて１個入賞されるまで開閉部材２７ａ又は２９ａを開放させるように作動する。そして、入賞口２４，２５にあっては、該入賞口２４又は２５に遊技球Ｂａが１個入賞すると該入賞した遊技球Ｂａに対する所定数の賞球が行われる。更に、開閉式入賞口３２，３３にあっては、該開閉式入賞口３２，３３に遊技球Ｂａが１個入賞すると該入賞した遊技球Ｂａに対する所定数の賞球が行われると共に、続いて１個入賞するまで開閉部材３２ａ又は３３ａが開放する。
【００４０】
そして、このような本パチンコ機１に対し、不正行為者（所謂ゴト師）が、透明ガラス９の手前側から磁石を当てて、流下してくる遊技球Ｂａに磁気を作用させ、例えば入賞口３６の入口近傍の障害釘３５側に寄せつつ（矢印Ａ方向）不正入賞させようとすると、次のようになる。即ち、このような場合、図４に示すように、磁石Ｍが透明ガラス９側に例えばＮ極を向けた状態で接近すると、該磁石Ｍから出される多数の磁力線ｍの影響により、金属板４１の表面側がＳ極に磁化し且つ裏面側がＮ極に磁化する。同時に、磁力線ｍの影響により、遊技球Ｂａの金属板４１側を向いた部位がＳ極に磁化するため、金属板４１と同じ極性を持った該遊技球Ｂａは、Ｓ極同士の反発力（図４の矢印４９）と該遊技球Ｂａに作用する重力とにより、障害釘３５から遠ざかる方向（図３の矢印Ｂ方向）に転がり移動する。
【００４１】
つまり、本実施形態では、障害釘３５が、入賞口３６の直前部分にて斜め下方を向くように配置された一対からなり、金属板４１が、少なくとも、障害釘３５の直前に位置する直前部４１ａと、一対の障害釘３５の下側に位置するものより下方に延びる延設部４１ｂとを有するので、入賞口３６に接近してきた遊技球Ｂａが直前部において磁力線ｍの影響で金属板４１と同じ極性を持ち、同じ極同士の反発力と該遊技球Ｂａに作用する重力とで、障害釘３５から遠ざかる方向に延設部４１ｂを転がり移動することにより、入賞口３６への不正な入賞を阻止することができる。このため、不正行為者が一対の障害釘３５を通過させて遊技球Ｂａを入賞口３６に不正に入賞させようとしても、該遊技球Ｂａは入賞口３６に進入することはなく、従って、不正行為は阻止されることになる。
【００４２】
これらの現象は、入賞口３８における一対の障害釘３７の外側近傍に埋設された金属板４２によっても、また、入賞口４３及び４６における一対の障害釘５０及び５１の各外側近傍に埋設された金属板４４，４５及び４７，４８によっても、同様の効果を奏することになる。
【００４３】
以上の構成を備えた本実施の形態によると、金属板４１，４２，４４，４５，４７，４８が磁石Ｍから出る磁力線ｍによって磁化されることで、不正行為者が入賞口３６，３８，４３，４６のいずれかに不正入賞させようとする際に、遊技球Ｂａと金属板４１，４２，４４，４５，４７，４８のいずれかが磁石Ｍからの磁力線ｍを同時に作用されることで、当該遊技球Ｂａが不正行為者に不利な方向に転がり移動することになり、これにより、不正行為が未然に防止される。
【００４４】
すなわち、本実施の形態では、遊技領域３ａにおける入賞口３６，３８，４３，４６の障害釘３５，３７，５０，５１それぞれの外側に配置された磁性材料からなる金属板４１，４２，４４，４５，４７，４８を備え、該金属板４１，４２，４４，４５，４７，４８のそれぞれが、磁力線ｍの作用で入賞口３６，３８，４３，４６の各内側に引き寄せられる遊技球Ｂａを該入賞口の外側に遠ざけるように磁化する。このため、遊技領域３ａの前側から磁石Ｍで遊技球Ｂａを引き寄せて入賞口３６，３８，４３，４６のいずれかに不正入賞させようとしても、その入賞口付近では、遊技球Ｂａと金属板４１，４２，４４，４５，４７，４８のいずれかが、磁石Ｍからの磁力線ｍを同時に作用されることで、当該遊技球Ｂａが不正行為者に不利な方向、即ち入賞口３６，３８，４３，４６のいずれかの外側に遠ざかる方向に転がり移動されることになり、従って、磁石Ｍを用いた不正行為を確実に防止できる。しかも、入賞口３６，３８，４３，４６それぞれの障害釘３５，３７，５０，５１の各外側に金属板４１，４２，４４，４５，４７，４８を配置するだけで所謂磁石ゴトを防止できるので、不正対策を極めて簡単でかつ廉価な構造によって実現できる。
【００４５】
また、磁性部が、遊技盤３の表面側に埋設された金属板４１，４２，４４，４５，４７，４８からなるので、遊技盤３にルータ加工で形成した凹部（図示せず）に該金属板４１，４２，４４，４５，４７，４８を埋め込み、その表面に装飾シート５７を貼付するなどにより、磁性部を備えた構造を簡素化できると共に、不正行為者から不正対策を視認し得なくすることができる。
【００４６】
ついで、前述した本実施の形態を一部変形した第１の変形例について、図５を参照して説明する。図５は、本第１の変形例において遊技球を押し退けるように移動させる際の原理を説明するための模式図である。なお、本第１の変形例は、図１ないし図４に示した実施の形態に比して、金属板を埋設したものではなく磁性材料を印刷によって設けた点が異なるだけで、他の部分は略々同一であるため、主要部分に同一符号を付して説明を省略する。
【００４７】
すなわち、本第１の変形例にあっては、図５に示すように、磁性部としての金属板部５２が、遊技盤３の遊技領域３ａに印刷された磁性材料により構成される。この場合、該金属板５２は、遊技盤３の盤面に貼付された装飾シート５７上に磁性材料を印刷することにより、該装飾シート５７を介して盤面に一体的に形成されている。なお、本第１の変形例においても後述する第２の変形例においても、磁性部を、先の実施形態における障害釘３５近傍の金属板４１に代えたものとして説明するが、当該磁性部は、他の金属板４２，４４，４５，４７，４８の部分にも同様に適用できることは勿論である。
【００４８】
このような本第１の変形例によると、先の実施形態と同様の効果を得ることができると共に、磁性部が、遊技盤３の表面に磁性材料を印刷して形成された金属板部５２であることで、極めて簡単な工程によって磁性部を形成することができる。このため、金属板４１を遊技盤３に埋設する工程を省くことができ、製造工程を一層簡略化して、更なるコストダウンも期待できるようになる。
【００４９】
次に、前述した本実施の形態を一部変形した第２の変形例について、図６を参照して説明する。図６は、本第２の変形例において遊技球を押し退けるように移動させる際の原理を説明するための模式図である。なお、本第２の変形例は、図１ないし図４に示した実施の形態に比して、単に埋設していた金属板４１等に比して、金属板５３を磁気検出センサ５４の磁気検知端子として設けた点が異なるだけで、他の部分は略々同一であるため、主要部分に同一符号を付して説明を省略する。
【００５０】
すなわち、本第２の変形例では、図６に示すように、遊技盤３の内部に埋設した状態で、遊技領域３ａに作用する磁気（磁界）を検出する磁気検出センサ（磁気検出手段）５４を備えており、磁性部としての金属板５３は、遊技盤３の表側を臨むように設けられて一方向に常時電流を流される磁気検出センサ５４の磁気検知端子（受感部）として構成される。つまり、磁気検出センサ５４は、遊技盤３の表面を臨むように埋設された金属板５３と、該金属板５３に図６左右方向に配線５５を介して直流電流（制御電流）を与える電源５６と、金属板５３における図６紙面の手前−奥方向に発生する起電力（ホール出力電圧）を検出する検出部（図示せず）とを有している。これらの構成を有する磁気検出センサ５４は、遊技盤３にルータ加工で形成した凹部内に金属板５３等を埋め込んだ状態で装飾シート５７により覆って、透明ガラス９の前面側から視認できないように構成することが好ましい。
【００５１】
上記磁気検出センサ５４は、ホール素子の原理（ホール効果(Hall  effect)）を利用しており、電源５６から金属板５３に配線５５を介して直流電流を与えた状態で、接近した磁石Ｍからの或る磁束密度の磁界（磁力線ｍ）が、受感部である金属板５３に垂直に作用すると、直流電流の方向と磁界方向（磁力線ｍの方向）とに直交する方向（即ち、図６における金属板５３の紙面手前−奥方向）にて、ホール効果による起電力（電位差）が現れる。該起電力（ホール出力電圧）を上記検出部で検出することにより、作用した磁気を検出することができる。
【００５２】
このような本第２の変形例によると、先の実施形態と同様の効果を得ることができると共に、遊技領域３ａに作用する磁気を検出する磁気検出センサ５４を備え、磁性部が、一方向に常時電流を流される磁気検出センサ５４の磁気検知端子として構成されるので、各部に配設した磁性部を磁気検知端子とし、それら磁気検知端子に所定の配線を施すことで磁気検出センサ５４を廉価に実現することが可能となる。このような廉価な構成の磁気検出センサ５４を遊技領域３ａの随所に配置することで、不正行為の発見を容易化することができる。また、磁気検出センサ５４により磁力線ｍを検出した場合、その旨を警報装置（図示せず）によって報知するように構成することもできる。
【００５３】
なお、磁性部としての金属板５３とは別の補助金属板（図示せず）を該金属板５３の近傍に配置し、上記補助金属板に磁石Ｍが接近した際に、該補助金属板が磁化し該磁化によって発せられる磁力線が上記金属板５３に届くように構成することで、複数の磁気センサを設置することなく、上記磁気検出センサ５４のようなものを最小限設置するだけで、盤面広域（全体）に亘って磁石ゴトを防止し得る構成を実現させることが可能となる。
【００５４】
また、本発明を適用した第３の変形例について、図７を参照して説明する。図７は、本第３の変形例における、上部近傍に金属板（磁性部）６３が埋設された始動チャッカー５９及びその付近を拡大して示す正面図である。なお、本第３の変形例は、図１ないし図４に示した実施の形態のような形式のパチンコ機ではなく、所謂第１種パチンコ機に適用し得る例である。
【００５５】
すなわち、本第３の変形例におけるパチンコ機は、図７に示すように、遊技盤３の遊技領域３ａ（図１参照）の入球役物２３（図１参照）に代えて配置されたセンター役物５８と、該センター役物５８に設けられたステージＳの直下方に配置された始動チャッカー５９と、該ステージＳと始動チャッカー５９との間に打ち込まれた一対の障害釘（所謂命釘）６０と、該始動チャッカー５９の下方に配置された開閉自在なアタッカー６１と、始動チャッカー５９の左方に配置された普通図柄抽選の契機となる入球が行われるスルーゲート６２とを有している。
【００５６】
更に、ステージＳと障害釘６０との間では、遊技盤３の表面側にルータ加工で形成された凹部（図示せず）に、磁性部としての金属板６３が埋設されている。なお、該金属板６３は、図５で説明した第１の変形例のように、盤面に印刷した磁性材料によって構成することもできる。また、始動チャッカー５９は、一対の障害釘６０の直下方に位置するコップ型の第１始動口（入賞口）５９ａと、該第１始動口５９ａの直下方に位置する開閉式の第２始動口５９ｂとにより構成されている。
【００５７】
上記障害釘６０は、第１始動口５９ａの直前部分にて左右幅方向に並ぶように配置された一対からなり、金属板６３は、少なくとも、障害釘６０の直前に位置する直前部６３ａと、一対の障害釘６０より下方に延びる延設部６３ｂとを有して構成されている。
【００５８】
従って、本第３の変形例によると、第１始動口５９ａに接近してきた遊技球Ｂａ（矢印Ｃ参照）が直前部６３ａにおいて磁力線ｍ（図４参照）の影響で金属板６３と同じ極性を持ち、同じ極同士の反発力と該遊技球Ｂａに作用する重力とで、障害釘６０から遠ざかる方向（矢印Ｄ参照）に延設部６３ｂを転がり移動することにより、第１始動口５９ａへの不正な入賞を阻止することができる。
【００５９】
以上、本発明をその好適な実施の形態及び変形例に基づいて説明したが、本発明の弾球遊技機は、上記実施形態及び変形例の構成にのみ限定されるものではなく、上記実施形態及び変形例の構成から種々の修正及び変更を施した弾球遊技機も、本発明の範囲に含まれる。
【図面の簡単な説明】
【００６０】
【図１】本発明に係るパチンコ機の外部構造を示す正面図である。
【図２】遊技盤を単体で分離した状態で示す正面図である。
【図３】上部近傍に金属板が埋設された入球役物及びその付近を拡大して示す正面図である。
【図４】本発明に係る実施形態において遊技球を押し退けるように移動させる際の原理を説明するための模式図である。
【図５】本発明に係る第１の変形例において遊技球を押し退けるように移動させる際の原理を説明するための模式図である。
【図６】本発明に係る第２の変形例において遊技球を押し退けるように移動させる際の原理を説明するための模式図である。
【図７】本発明に係る第３の変形例における、上部近傍に金属板が埋設された始動チャッカー及びその付近を拡大して示す正面図である。
【符号の説明】
【００６１】
１    弾球遊技機（パチンコ機）
３    遊技盤
３ａ    遊技領域
３５，３７，５０，５１，６０    障害釘
３６，３８，４３，４６    入賞口
４１，４２，４４，４５，４７，４８，５３，６３    磁性部（金属板）
４１ａ，４２ａ，６３ａ    直前部
４１ｂ，４２ｂ，６３ｂ    延設部
５２    磁性部（金属板部）
５４    磁気検出手段（磁気検出センサ）
５９ａ    入賞口（第１始動口）
Ｂａ    遊技球
Ｍ    磁石
ｍ    磁力線
【図１】
2010131142.tif 000003
【図２】
2010131142.tif 000004
【図３】
2010131142.tif 000005
【図４】
2010131142.tif 000006
【図５】
2010131142.tif 000007
【図６】
2010131142.tif 000008
【図７】
2010131142.tif 000009